(57)【要約】【課題】ケースに挿入してある物品を、ショップの棚に並べて陳列した際の抜き取りによる盗難を防止する。【解決手段】周囲の一面に設けてある開口１から物品Ａを抜き差し自在に挿入して収納する形式のケースＫにおいて、上記開口の一部を閉鎖するように上記ケースの外側に着脱自在に嵌合体Ｂを嵌装すると共に、この嵌合体の一端内に上記開口の端に嵌り込み、かつ上記ケースに対する引っかかりによって上記嵌合体の離脱防止の突部８を設け、また上記嵌合体の他端側とケースとに前記嵌合体の嵌装にともない押し戻され、かつ嵌装終了にともない係合関係になる適宜の係合手段Ｃを設けた。【選択図】          図２
2004331217.tif 000002
【特許請求の範囲】
【請求項１】
周囲の一面に設けてある開口から物品を抜き差し自在に挿入して収納する形式のケースにおいて、上記開口の一部を閉鎖するように上記ケースの外側に着脱自在に嵌合体を嵌装すると共に、この嵌合体の一端内に上記開口の端に嵌り込み、かつ上記ケースに対する引っかかりによって上記嵌合体の離脱防止の突部を設け、また上記嵌合体の他端側とケースとに前記嵌合体の嵌装にともない押し戻され、かつ嵌装終了にともない係合関係になる適宜の係合手段を設けたことを特徴とする盗難防止装置。
【請求項２】
周囲の一面に設けてある開口から物品を抜き差し自在に挿入して収納する形式のケースにおいて、上記開口の一部を閉鎖するように上記ケースの外側に着脱自在に嵌合体を嵌装すると共に、この嵌合体の一端内に上記開口内に嵌り込んで上記ケースに対する引っかかりによって上記嵌合体の離脱を防止する突出力の付与爪片を設け、また上記嵌合体の他端側とケースとに前記嵌合体の嵌装にともない押し戻され、かつ嵌装終了にともない係合関係になる適宜の係合手段を設けたことを特徴とする盗難防止装置。
【発明の詳細な説明】
【０００１】
【発明の属する技術分野】
この発明は、ケースに収納してある例えば販売や貸し出し物品の抜き取りを阻止する盗難防止装置に関する。
【０００２】
【従来の技術】
レンタルショップの棚に貸し出し物品（販売もする）のビデオテープを陳列する場合、周囲一面の開口からケースに物品のビデオテープを挿入する。
【０００３】
次いで、展示ケースの上面挿入口から上記の物品収納済みのケースを挿入してショップの棚に陳列する。
【０００４】
なお、ビデオテープ以外の物品、例えばディスクの場合は、収納ケースにディスクを収納して、ケースに物品の収納ケースを挿入する。
【０００５】
その際、展示ケースの上面から上方にケースの上部を突出させて、展示ケースに対するケース（物品収納ずみ）の存在を知らせるようになっている。
【０００６】
上述のような陳列状況下において、顧客は展示ケースからケースを抜き取って、まず棚に空の展示ケースを戻し、次いで手にしたケースをカウンタに持参してレンタルの手続きを行う。
【０００７】
このような方式にあっては、抜き取ったケース内の物品を支障なく取り出すことができるので、物品の盗難にあう。
【０００８】
そこで、特許文献１に示すように、陳列状況下にケースに収納（挿入）してある物品の抜き取りを阻止して、物品の盗難をなくする装置がある。
【０００９】
【特許文献１】
特願２００２−２１８９２５
【００１０】
【発明が解決しようとする課題】
上記の盗難防止装置は、ケースの開口側で、ケースと挿入ずみ物品との間隙に嵌合体の一端内の差し込み片を差し込みながらケースの一辺外側に嵌合体の一端側を嵌装し、次いでケースの一辺一端部から多端部迄に嵌合体を嵌装して、嵌装下に係合手段の係合関係によりケースから嵌合体の顧客による取り外しを阻止すると共に、ケースの開口の一部を嵌合体の周壁により閉鎖してケースに対する物品の抜き取りを阻止するため、ケースの周壁と挿入ずみ物品との間隙に差し込み片を差し込みながらケースに嵌合体の一端側を嵌装するので、著しく手数がかかると共に、スムーズな嵌装ができない問題があった。
【００１１】
そこで、この発明は、ケースから物品の抜き取りを阻止する嵌合体の嵌装が極めてスムーズに行うことができるようにしたことにある。
【００１２】
【課題を解決するための手段】
上記の課題を解決するために、この発明は、周囲の一面に設けてある開口から物品を抜き差し自在に挿入して収納する形式のケースにおいて、上記開口の一部を閉鎖するように上記ケースの外側に着脱自在に嵌合体を嵌装すると共に、この嵌合体の一端内に上記開口の端に嵌り込み、かつ上記ケースに対する引っかかりによって上記嵌合体の離脱防止の突部を設け、また上記嵌合体の他端側とケースとに前記嵌合体の嵌装にともない押し戻され、かつ嵌装終了にともない係合関係になる適宜の係合手段を設けた構成を採用する。
【００１３】
また、周囲の一面に設けてある開口から物品を抜き差し自在に挿入して収納する形式のケースにおいて、上記開口の一部を閉鎖するように上記ケースの外側に着脱自在に嵌合体を嵌装すると共に、この嵌合体の一端内に上記開口内に嵌り込んで上記ケースに対する引っかかりによって上記嵌合体の離脱を防止する突出力の付与爪片を設け、また上記嵌合体の他端側とケースとに前記嵌合体の嵌装にともない押し戻され、かつ嵌装終了にともない係合関係になる適宜の係合手段を設けた構成を採用する。
【００１４】
【発明の実施の形態】
この発明の実施の形態を添付図面に基づいて説明する。
【００１５】
この発明の第一の実施形態では、図１から図５に示すように、周囲一面に開口１を有するケースＫには、物品Ａを抜き差し自在に挿入して収納する。
【００１６】
上記ケースＫは、左右で対向する側壁２、２とこの両側壁２、２間の上下面閉鎖の頂壁３及び底壁４及後面閉鎖の後壁５とで両側壁２、２間の前面に開口１を設けて形成し、例えば合成樹脂製薄板のブランクから組み立てたり、合成樹脂の成形製品などがある。
【００１７】
Ｂは開口１の一部を閉鎖するようにケースＫの外側に着脱自在に嵌装する嵌合体である。
【００１８】
上記の嵌合体Ｂは、頂壁３に重なる主壁６と、この主壁６の周縁から連なって主壁６の裏面方向に突出する周壁７とで構成され、ケースＫの上端外側（図示の場合）に嵌装して、周壁７により開口１の一部を閉鎖するもので、例えば合成樹脂製の成型品などで、指先などで引っかけて力を加えても破損しないようになっている。
【００１９】
なお、ケースＫに挿入して収納する物品Ａとしては、貸し出しや販売の例えばビデオテープやディスクの収納した収納ケースなどがある。
【００２０】
また、嵌合体Ｂの一端内には、ケースＫに嵌合体Ｂの一端側を先行させて嵌装し、嵌装にともないケースＫの頂壁３の開口１側端縁の裏面に引っかかって嵌合体Ｂの離脱を防止する突部８が設けてある。
【００２１】
上記の突部８は、図４に示すように、周壁７の内面頂壁６寄りに設けて、挿入ずみ物品Ａの開口１側上コーナーと頂壁６の開口１側端の裏側に嵌入して引っかかるようにしたが、図５に示すように、頂壁３の開口１側端にハーフカットなどのヒンジ９を介して起伏自在に設けてある突出壁１０を図５に示すように倒して開口１の一部を閉鎖すると共に、突出壁１０の突出方向端縁に突部８が引っかかるようにしてもよい。要するに、ケースＫ側と突部８との引っかかりの係合関係にする。
【００２２】
また、嵌合体Ｂの他端側とケースＫとには、嵌合体Ｂの嵌装にともない押し戻され、嵌装終了にともない係合関係になる係合手段Ｃが設けてある。
【００２３】
上記の係合手段Ｃとしては、図示の場合後壁５に貫孔による係止部１１を、周壁７の内面に後壁５の方向に突出先端縁を突出させると共に、嵌合体Ｂの嵌装にともなう後壁５と先端縁との接触にともない復元力に抗して押し戻され、係止部１１に先端縁が合致（嵌合体Ｂの嵌装終了時点に）すると、係止部１１に先端縁が嵌入して係合関係になる係止爪１２の末端を周壁７の内面に固着して構成する。
【００２４】
勿論、ケースＫ側に係止爪１２を、嵌合体Ｂ側に係止部１１を設けることもあり、係止部１１も貫孔（図示）にかえて凹部や突起などにすることもあり、係止爪１２も切り起こしや別部分を接着などで設けると共に、側壁２と周壁７との対向面に設けてもよい。
【００２５】
上記のように構成すると、レンタルショップにあっては、ケースＫを陳列ケースとして使用し、開口１からケースＫにレンタル商品の物品Ａを挿入して収納したのち、ケースＫの上端に嵌合体Ｂを嵌装する。
【００２６】
嵌装に際し、まずケースＫの上辺開口１側に嵌合体Ｂの一端側を嵌装して、開口１の上端側に突部８を嵌入し、突部８とケースＫとを引っかかりの係合状態にする。
【００２７】
次いで、ケースＫの上辺全部に嵌合体Ｂを嵌装する。
【００２８】
このとき、後壁５と係止爪１２との接解にともない係止爪１２を押し戻し、嵌合体Ｂの嵌装終了にともない係止部１１と係止爪１２とが合致するので、押し戻しによる復元力の発生している係止爪１２が係止部１１に自動的に係合関係になって、ケースＫに対する嵌合体Ｂの離脱（顧客による取り外し）が阻止される。
【００２９】
すると、陳列時に嵌合体Ｂの取り外しが阻止されて、ケースＫからの物品Ａの抜き取り、すなわち盗難防止になる。
【００３０】
なお、図示のように、嵌合体Ｂ内に固有のＩＤコードをもち、ショップの出入口を通過の際、出入口に設置の高周波電磁界の発生により共振回路が共振して固有のＩＤコードの発信にともない高周波電磁界を変調させるような盗難防止タグＤを設けておくと、ケースＫ毎物品Ａのショップ外への持ち出しを防止する。
【００３１】
また、図１に示すようにショップの棚にケースＫを陳列する場合、展示ケースＸの上面挿入口２１からケースＫを挿入して、展示ケースＸと共にケースＫを陳列することもある。
【００３２】
その際、透明な展示ケースＸの片方の内側に物品Ａに見合う背見出し２２或いは背見出し２２と押さえシート２３を挿入しておく。
【００３３】
上記展示ケースＸが不透明な場合、展示ケースの外側に設けてある透明なシートの内側に印刷紙を組み入れておく。
【００３４】
上記係合手段Ｃの係合関係の解除方法は、ショップ側の解除具Ｅを用いる。
【００３５】
上記の解除具Ｅとしては、図示の場合、グリップ１６から突出する突片１７を図６に示すように後壁５と係止爪１２との間に押し込む。
【００３６】
すると、突片１７によって係止爪１２を押し戻して、係止部１１から係止爪１２を脱出させて、係止部１１と係止爪１２との係合関係を解除する。
【００３７】
その結果、嵌合体Ｂの係止爪１２側端をケースＫから引き上げて取り外す。
【００３８】
上記の解除具Ｅは、一例にすぎず、例えば磁石によって係止部１１から鉄片或いは鉄片の貼り付けた係止片１２を磁吸させて係合関係を解除することもできる。
【００３９】
取り外した嵌合体Ｂは、ショップ側に回収する。
【００４０】
この発明の第二の実施形態では、図７から図９に示すように、第一の実施形態と同様に開口１から物品Ａの挿入ずみ（収納した）ケースＫの開口１の一部を閉鎖するよう着脱自在に嵌装する嵌合体Ｂの一端内には、開口１内に嵌り込んで上記ケースＫに対する引っかかりによって嵌合体Ｂの離脱を防止する突出力の付与爪片３１が設けてある。
【００４１】
上記の爪片３１は、図示の場合弾力性を有する合成樹脂片や鋼板製の片の末端を周壁７の内面に固着したが、周壁７に切り起こしにより設けることもできる。
【００４２】
すると、ケースＫの図示上辺の開口１側に嵌合体Ｂを嵌装して、開口１に爪片３１の先を嵌入すると共に、爪片３１の先が頂壁３の開口１端側内面に引っかかって、ケースＫに対し嵌合体Ｂの一端側が外れないようになる。
【００４３】
勿論、図８に示すように第一の実施形態と同様にハーフカットなどのヒンジ９を介し起伏自在に設けてある突出壁１０の端縁に爪片３１を引っかけたり、図８に示すように突出壁１０の貫孔や凹部、突起の係止部３２に爪片３１が引っかかるようにしてもよい。
【００４４】
また、嵌合体Ｂの他端内とケースＫとには、第一の実施形態と同様の係合手段Ｃが設けてある。
【００４５】
上記のケースＫ、嵌合体Ｂの構成は、第一の実施形態と同様につき、また係合手段Ｃの構成並びに作用、解除具Ｅを用いた解除方法は、第一の実施形態と同様につき説明を省略する。
【００４６】
すると、ケースＫに嵌装した嵌合体Ｂは、ケースＫに対する爪片３１の引っかかり及び係合手段Ｃによって嵌合体Ｂの取り外しを阻止するので、ケースＫ内の物品Ａの盗難を防止する。
【００４７】
爪片３１の係合関係の解除は、係合手段Ｃの係合関係解除後、嵌合体Ｂの係合手段Ｃ側をケースＫから嵌脱させて爪片３１の係合を解除し、或いは図９に示すように解除具Ｅ’のグリップ１６’から突出する突片１７’を押し込んで、爪片３１を押し戻すことにより行うことができる。
【００４８】
なお、第二の実施形態のケースＫも第一の実施形態と同様の展示ケース（図示省略に挿入することもある。）
【００４９】
【発明の効果】
【００５０】
以上のように、この発明の盗難防止装置によれば、ケースに収納してある物品をケースに嵌合して、突部や爪片とケースとの引っかかり及び係合手段により外れないようにしてある嵌合体によりケース内の収納物品の抜き取りを阻止する。
【００５１】
このため、物品の盗難防止に効果を発揮する。
【００５２】
特に、嵌合体の一端側に突部や爪片を設けて、ケースに引っかかるようにしてあるので、引っかかり操作がスムーズにできる。
【図面の簡単な説明】
【図１】この発明の第一の実施形態を示す斜視図
【図２】同上の要部を示す分解斜視図
【図３】嵌合体の嵌装状態の一部切欠側面図
【図４】同上の要部を示す一部切欠拡大側面図
【図５】突部の引っかかりの他の例を示す一部切欠側面図
【図６】解除具の使用を示す一部切欠側面図
【図７】第二の実施形態を示す一部切欠側面図
【図８】爪片の引っかかりの他の例を示す一部切欠側面図
【図９】爪片の引っかかり解除を示す一部切欠側面図
【符号の説明】
Ｋ      ケース
Ａ      物品
Ｂ      嵌合体
Ｃ      係合手段
Ｄ      タグ
Ｅ      解除具
１      開口
２      側壁
３      頂壁
４      底壁
５      後壁
６      主壁
７      周壁
８      突部
９      ヒンジ
１０    突出壁
１１    係止部
１２    係止爪
３１    爪片
３２    係止部
【図１】
2004331217.tif 000003
【図２】
2004331217.tif 000004
【図３】
2004331217.tif 000005
【図４】
2004331217.tif 000006
【図５】
2004331217.tif 000007
【図６】
2004331217.tif 000008
【図７】
2004331217.tif 000009
【図８】
2004331217.tif 000010
【図９】
2004331217.tif 000011